(57)【要約】【課題】カラー映像の表示色を視聴者に応じて調整するカラー映像表示装置を提供する。【解決手段】カラー映像表示装置の一態様であるテレビは、被写体を撮影して画像信号を出力するカメラ１００と、予め設定されている領域を抽出し、その領域に対応する画像データに基づいて被写体の周囲の色温度を計算する画像処理部１１０と、映像信号の入力を受け付ける映像ソース１２０と、画像処理部１１０において計算された色温度と映像ソース１２０とに基づいて映像信号を生成する合成回路１３０と、当該映像信号に基づいて映像を表示する映像表示部１４０とを備える。【選択図】図１
2007174229.tif 000002
【特許請求の範囲】
【請求項１】
カラー映像表示装置であって、
カラー映像を表示する映像信号を取得するチューナと、
前記映像信号に基づいて前記カラー映像を表示領域に表示する表示器と、
被写体を撮影して前記被写体の画像に対応する画像データを取得するカメラと、
前記カラー映像表示装置の第１の視聴者について予め取得された第１の特徴量と、前記第１の視聴者に対するカラー映像の表示のために予め入力された設定値とを格納するメモリとを備え、前記特定データと前記設定値とは関連付けられており、
映像が前記表示領域に表示されていることに基づいて、前記カメラに撮影を実行させる撮影制御回路と、
前記撮影に基づいて取得された第２の視聴者の画像データに対して予め設定された画像解析処理を行なうことにより、前記第２の視聴者の特徴量を算出する特徴量算出回路と、
前記第１の視聴者の特徴量と前記第２の視聴者の特徴量とを比較することにより、前記第２の視聴者が前記第１の視聴者であるか否かを判断する判断回路と、
前記カメラによって取得された画像データから、前記カメラによる撮影可能な範囲における一部の領域に対応する部分画像データを抽出する抽出回路と、
前記部分画像データに基づいて前記一部の領域に対応する画像を構成する各色の要素の総和をそれぞれ算出する算出回路と、
各前記色の要素の総和に基づいて色温度を決定する色温度決定回路と、
前記色温度と前記設定値とに基づいて、前記表示領域に表示される映像を構成する各色の要素を変更する要素変更回路とを備える、カラー映像表示装置。
【請求項２】
カラー映像表示装置であって、
カラー映像を表示する映像信号を取得する取得手段と、
前記映像信号に基づいて前記カラー映像を表示領域に表示する表示手段と、
被写体を撮影して前記被写体の画像に対応する画像データを取得する撮像手段と、
前記カラー映像表示装置の第１の視聴者を特定するために予め準備された特定データと、前記第１の視聴者に対するカラー映像の表示のために予め入力された設定値とを格納する記憶手段とを備え、前記特定データと前記設定値とは関連付けられており、
映像が前記表示領域に表示されていることに基づいて、前記映像を視聴する第２の視聴者の画像を取得する画像取得手段と、
前記特定データと前記第２の視聴者の画像とに基づいて、前記第２の視聴者が前記第１の視聴者であるか否かを判断する判断手段と、
前記判断手段が、前記第２の視聴者は前記第１の視聴者であると判断した場合に、前記第１の視聴者に対応付けられている前記設定値に基づいて、前記表示領域に表示されている前記映像の表示色を調整することにより、前記表示領域における映像の表示を制御する制御手段とを備える、カラー映像表示装置。
【請求項３】
前記特定データは、前記第１の視聴者の顔画像について予め取得された特徴量を含み、
前記画像取得手段は、
前記映像が前記表示領域に表示されていることに基づいて、前記撮像手段に撮影を実行させる撮影制御手段と、
前記撮影に基づいて取得された前記第２の視聴者の画像データに対して予め設定された画像解析処理を行なうことにより、前記第２の視聴者の特徴量を算出する特徴量算出手段とを含み、
前記判断手段は、前記第１の視聴者の特徴量と前記第２の視聴者の特徴量とを比較することにより、前記第２の視聴者が前記第１の視聴者であるか否かを判断する、請求項２に記載のカラー映像表示装置。
【請求項４】
前記制御手段は、
前記撮像手段によって取得された画像データに基づいて、前記撮像手段による撮影が可能な範囲における一部の領域に対応する部分画像データを抽出する抽出手段と、
前記部分画像データに基づいて、前記表示領域に表示されている前記映像の表示色を調整する表示色調整手段とを含む、請求項２に記載のカラー映像表示装置。
【請求項５】
前記表示色調整手段は、
前記部分画像データに基づいて、前記一部の領域に対応する画像を構成する各色の要素の総和をそれぞれ算出する算出手段と、
各前記色の要素の総和に基づいて色温度を決定する色温度決定手段と、
前記色温度と前記設定値とに基づいて、前記映像における各色の要素を変更する要素変更手段とを含む、請求項４に記載のカラー映像表示装置。
【請求項６】
前記色温度決定手段は、前記算出手段によって算出された各前記色の要素の総和が予め設定された上限値を下回る場合に、前記色温度を決定する、請求項５に記載のカラー映像表示装置。
【請求項７】
前記抽出手段は、前記撮影によって撮影された視聴者の上部に対応する画像を前記部分画像データとして抽出する、請求項４に記載のカラー映像表示装置。
【請求項８】
前記取得手段は、テレビジョン放送信号を選局する選局手段を含む、請求項２に記載のカラー映像表示装置。
【請求項９】
前記取得手段は、外部から前記映像信号の入力を受け付ける外部入力手段を含む、請求項２に記載のカラー映像表示装置。
【請求項１０】
前記外部入力手段は、ネットワークを介して前記映像信号の入力を受け付ける、請求項９に記載のカラー映像表示装置。
【請求項１１】
前記映像信号は、カラー映像の表示の変更を禁止するための管理データを含み、
前記カラー映像表示装置は、前記映像信号から前記管理データを検出する検出手段をさらに備え、
前記制御手段は、前記管理データが検出された場合に、前記映像の表示色の調整を禁止する、請求項２に記載のカラー映像表示装置。
【発明の詳細な説明】
【技術分野】
【０００１】
本発明は、カラー映像表示装置に関し、より特定的には、表示される映像の色を視聴者に応じて調整できるカラー映像表示装置に関する。
【背景技術】
【０００２】
カラーテレビ、カラーディスプレイ装置その他のカラー映像表示装置は、予め規定された設定値に基づいてカラー映像を表示する。また、カラー映像表示装置は、多くの場合、使用者による設定に基づいて、カラー映像の色の表示を変更する。使用者が色の表示を変更するための設定は、手間を要する場合もあり、あるいは使用者が希望する色が表示されるような設定が実現できない場合もある。そのため、カラー映像表示装置の視聴者に対する利便性は、必ずしも好ましいものではなかった。
【０００３】
そこで、視聴者に利便性を提供するために、たとえば特開２００３−７８９２０号公報（特許文献１）、特開２００２−３２３３８２号公報（特許文献２）、特開２００２−９１４１５号公報（特許文献３）は、照明環境に応じて色温度を調節できるディスプレイ装置を開示している。特開平９−２４７５６４号公報（特許文献４）は、画像の表示に加えて音声再生の観点から利便性を向上させるテレビジョン受像機を開示している。さらに、特開２００５−２３６３５３号公報（特許文献５）は、番組の推薦という観点から、視聴者に利便性を提供できる受信装置を開示している。
【特許文献１】特開２００３−７８９２０号公報
【特許文献２】特開２００２−３２３３８２号公報
【特許文献３】特開２００２−９１４１５号公報
【特許文献４】特開平９−２４７５６４号公報
【特許文献５】特開２００５−２３６３５３号公報
【発明の開示】
【発明が解決しようとする課題】
【０００４】
テレビの視聴に関し、たとえばリビングルームに設置されているテレビは、特定の一個人によって使用されるのみならず、他の家族が使用する場合もある。
【０００５】
この場合、特開２００３−７８９２０号公報に開示されたディスプレイ装置によると、特定の視聴者が色温度を設定すると、ディスプレイ装置は、その設定値に基づいて映像を表示することとなり、他の視聴者が好む色が表示されない場合もあり得る。この場合、当該他の視聴者にとっては、ディスプレイ装置の利便性は必ずしも満足できるものとはならない。
【０００６】
本発明は、上述の問題点を解決するためになされたものであって、その目的は、カラー映像の表示を複数の視聴者に応じて実現できるカラー映像表示装置を提供することである。
【０００７】
本発明の他の目的は、特定の視聴者に対してのみカラー映像を調節して表示できるカラー映像表示装置を提供することである。
【課題を解決するための手段】
【０００８】
上記の課題を解決するために、この発明のある局面に従うカラー映像表示装置は、カラー映像を表示する映像信号を取得するチューナと、映像信号に基づいてカラー映像を表示領域に表示する表示器と、被写体を撮影して被写体の画像に対応する画像データを取得するカメラと、カラー映像表示装置の第１の視聴者について予め取得された第１の特徴量と、第１の視聴者に対するカラー映像の表示のために予め入力された設定値とを格納するメモリとを備える。特定データと設定値とは関連付けられている。カラー映像表示装置は、映像が表示領域に表示されていることに基づいて、カメラに撮影を実行させる撮影制御回路と、撮影に基づいて取得された第２の視聴者の画像データに対して予め設定された画像解析処理を行なうことにより、第２の視聴者の特徴量を算出する特徴量算出回路と、第１の視聴者の特徴量と第２の視聴者の特徴量とを比較することにより、第２の視聴者が第１の視聴者であるか否かを判断する判断回路と、カメラによって取得された画像データから、カメラによる撮影可能な範囲における一部の領域に対応する部分画像データを抽出する抽出回路と、部分画像データに基づいて一部の領域に対応する画像を構成する各色の要素の総和をそれぞれ算出する算出回路と、各色の要素の総和に基づいて色温度を決定する色温度決定回路と、色温度と設定値とに基づいて、表示領域に表示される映像を構成する各色の要素を変更する要素変更回路とを備える。
【０００９】
この発明の他の局面に従うカラー映像表示装置は、カラー映像を表示する映像信号を取得する取得手段と、映像信号に基づいてカラー映像を表示領域に表示する表示手段と、被写体を撮影して被写体の画像に対応する画像データを取得する撮像手段と、カラー映像表示装置の第１の視聴者を特定するために予め準備された特定データと、第１の視聴者に対するカラー映像の表示のために予め入力された設定値とを格納する記憶手段とを備える。特定データと設定値とは関連付けられている。カラー映像表示装置は、映像が表示領域に表示されていることに基づいて、映像を視聴する第２の視聴者の画像を取得する画像取得手段と、特定データと第２の視聴者の画像とに基づいて、第２の視聴者が第１の視聴者であるか否かを判断する判断手段と、判断手段が、第２の視聴者は第１の視聴者であると判断した場合に、第１の視聴者に対応付けられている設定値に基づいて、表示領域に表示されている映像の表示色を調整することにより、表示領域における映像の表示を制御する制御手段とを備える。
【００１０】
好ましくは、特定データは、第１の視聴者の顔画像について予め取得された特徴量を含む。画像取得手段は、映像が表示領域に表示されていることに基づいて、撮像手段に撮影を実行させる撮影制御手段と、撮影に基づいて取得された第２の視聴者の画像データに対して予め設定された画像解析処理を行なうことにより、第２の視聴者の特徴量を算出する特徴量算出手段とを含む。判断手段は、第１の視聴者の特徴量と第２の視聴者の特徴量とを比較することにより、第２の視聴者が第１の視聴者であるか否かを判断する。
【００１１】
好ましくは、制御手段は、撮像手段によって取得された画像データに基づいて、撮像手段による撮影が可能な範囲における一部の領域に対応する部分画像データを抽出する抽出手段と、部分画像データに基づいて、表示領域に表示されている映像の表示色を調整する表示色調整手段とを含む。
【００１２】
好ましくは、表示色調整手段は、部分画像データに基づいて、一部の領域に対応する画像を構成する各色の要素の総和をそれぞれ算出する算出手段と、各色の要素の総和に基づいて色温度を決定する色温度決定手段と、色温度と設定値とに基づいて、映像における各色の要素を変更する要素変更手段とを含む。
【００１３】
好ましくは、色温度決定手段は、算出手段によって算出された各色の要素の総和が予め設定された上限値を下回る場合に、色温度を決定する。
【００１４】
好ましくは、抽出手段は、撮影によって撮影された視聴者の上部に対応する画像を部分画像データとして抽出する。
【００１５】
好ましくは、取得手段は、テレビジョン放送信号を選局する選局手段を含む。
好ましくは、取得手段は、外部から映像信号の入力を受け付ける外部入力手段を含む。
【００１６】
好ましくは、外部入力手段は、ネットワークを介して映像信号の入力を受け付ける。
好ましくは、映像信号は、カラー映像の表示の変更を禁止するための管理データを含む。カラー映像表示装置は、映像信号から管理データを検出する検出手段をさらに備える。制御手段は、管理データが検出された場合に、映像の表示色の調整を禁止する。
【発明の効果】
【００１７】
本発明に係るカラー映像表示装置によれば、当該装置に予め登録された視聴者が映像を視聴している場合には、当該視聴者に応じた色の表示が実現される。視聴者は自らが希望する好みの色の設定を行なう必要がないため、利便性が向上したカラー映像表示装置を提供することができる。
【発明を実施するための最良の形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
図１を参照して、本発明に係る技術思想について説明する。図１は、本発明に係るカラー映像表示装置の構成を表わす図である。カラー映像表示装置は、カメラ１００と、画像処理部１１０と、映像ソース１２０と、合成回路１３０と、映像表示部１４０とを備える。カラー映像表示装置は、たとえば、テレビジョン受信装置、コンピュータに接続されるディスプレイ装置その他の表示装置として実現される。
【００２０】
カメラ１００は、被写体を撮影して画像信号を出力する。その画像信号は、画像処理部１１０に入力される。画像処理部１１０は、予め設定されている領域を抽出し、その領域に対応する画像データに基づいて被写体の周囲の色温度を計算する。画像処理部１１０は、さらにその色温度と予め設定されている情報とに基づいて映像表示部１４０に表示される色温度を計算する。映像ソース１２０は、たとえばテレビジョン放送信号であり、あるいはデータ記録媒体に予め記録されている映像信号である。カラー映像表示装置がネットワークに接続されている場合には、当該ネットワークを介して入力される映像信号であってもよい。
【００２１】
合成回路１３０は、画像処理部１１０において計算された色温度と映像ソース１２０とに基づいて映像表示部１４０に表示させる映像信号を生成する。生成された信号は、映像表示部１４０に送出される。映像表示部１４０は、その信号に基づいて映像を表示する。このようにして表示される映像は、カメラ１００によって撮影された被写体の周囲の色温度が反映されている。
【００２２】
カラー映像表示装置は、たとえばカメラを備えたカラーテレビ、あるいは画像信号の入力を受付けて表示するディスプレイ装置などによって実現される。以下カラー映像表示装置の一態様としてテレビ２００について説明する。
【００２３】
図２は、部屋１０にテレビ２００が設置されている状況を表わす図である。部屋１０には、テレビ２００と椅子１１とがそれぞれ配置されている。椅子１１には、視聴者１２が座っている。視聴者１２は、リモコン端末１４を有している。テレビ２００は、カメラ２５０とリモコン信号を受信する受光部５０６とを備える。カメラ５５０と椅子１１との位置関係は、たとえばカメラ５５０による撮影可能な範囲に基づいて定められる。好ましくは、椅子１１は、カメラ５５０の中心線上に配置されている。
【００２４】
図３を参照して、テレビ２００の構成について説明する。図３は、テレビ２００を正面から表わす図である。テレビ２００は、カメラ５５０に加えて、ディスプレイ５３０と、スピーカ５４０ａ，５４０ｂとを備える。スピーカ５４０ａ，５４０ｂは、たとえばステレオ音声の出力が可能なスピーカである。スピーカ５４０ａ，５４０ｂの位置は、図３に示されるものに限られない。たとえば各スピーカは、テレビ２００の筐体の側面に配置されてもよい。また、カメラ５５０はたとえばテレビ２００の正面の中心線上に配置されているが必ずしも中心でなくてもよい。カメラ５５０は、撮影可能な範囲に存在する被写体を撮影する。被写体には、テレビ２００の視聴者に加えて視聴者が操作するリモコン端末１４なども含まれる。カメラ５５０は、たとえば近赤外線光を受光できるものであってもよい。この場合、カメラ５５０は、赤外カットフィルタを有さないものが好ましい。
【００２５】
図４を参照して、テレビ２００の構成についてさらに説明する。図４は、本発明に係るテレビ２００を実現するための機能の構成を表わすブロック図である。テレビ２００は、その主たる構成として取得部４１０と、表示部４１２と、撮影制御部４１４と、撮像部４１６と、特徴量算出部４１８と、確認部４２２と、抽出部４２４と、算出部４２６と、色温度決定部４２８と、調整部４３０と、制御部４３２と、記憶部４２０とを備える。各構成要素は、それぞれ信号の授受が可能な態様で接続されている。
【００２６】
取得部４１０は、外部からカラー映像を表示するための映像信号を取得する。取得部４１０は、たとえば、テレビジョン放送信号を選局するチューナ、デジタル映像信号の入力を受け付ける入力インターフェイス等である。チューナは、デジタルチューナおよびアナログチューナのいずれであってもよい。アナログチューナが使用される場合には、テレビ２００の内部においてアナログ信号がデジタル信号に変換され、後述する画像調整処理が実行される。
【００２７】
表示部４１２は、取得部４１０によって取得された映像信号に基づいてカラー映像を表示する。表示部４１２は、たとえば、液晶ディスプレイ、有機ＥＬ（Electro Luminescence）ディスプレイ、ＣＲＴ（Cathode Ray Tube）ディスプレイその他の表示装置である。
【００２８】
撮影制御部４１４は、表示部４１２にカラー映像が表示されていることに基づいてテレビ２００の視聴者を撮影するための指示を出力する。その指示は、撮像部４１６に送出される。撮像部４１６は、その指示に基づいて予め設定されている撮影可能な範囲に存在する被写体を撮影し対応する画像データを出力する。画像データは、特徴量算出部４１８に送出される。特徴量算出部４１８は、その画像データに基づいて予め規定された画像処理を実行して被写体の特徴量を算出する。特徴量算出部４１８は、好ましくは、当該画像データに対してフィルタ処理、エッジ強調処理その他の画像調整処理を実行する。
【００２９】
記憶部４２０は、テレビ２００に対して予め入力されたデータを記憶する。記憶部４２０は、たとえばテレビ２００の視聴者として予め登録されたデータ（視聴者を識別するためのデータ、当該視聴者により入力された表示部４１２における表示を制御するためのデータ）を記憶している。
【００３０】
確認部４２２は、特徴量算出部４１８によって特徴量が算出された視聴者と記憶部４２０に登録されている視聴者とに関し、撮像部４１６によって撮影された視聴者がテレビ２００に予め登録されている視聴者であるか否かを確認する。確認部４２２は、たとえば特徴量算出部４１８によって算出された特徴量を記憶部４２０に格納されている特徴量に対して検索を行ない、同じ特徴量を有するデータ項目が存在するか否かを判断することにより、そのような視聴者の登録の有無を確認する。
【００３１】
抽出部４２４は、撮像部４１６によって取得された画像データに基づいて被写体の画像の一部の領域に対応する部分画像データを抽出する。一部の領域は、たとえば撮像部４１６によって撮影可能な範囲のうち画像データ処理の対象として予め設定された領域を言う。抽出部４２４は、好ましくは、撮影動作によって撮影された視聴者の上部に対応する画像を、部分画像データとして抽出する。この場合、視聴者の服装が画像データに含まれなくなるため、たとえば視聴者の服装の色が、ＲＧＢ（Red, Green, Blue）を構成する赤色、緑色、青色のような原色に近い色であっても、色の調整が服装の色による影響を受けにくくなる。
【００３２】
算出部４２６は、抽出部４２４によって抽出された部分画像データを用いてその一部の領域におけるカラー映像を構成する各色の要素の総和をそれぞれ算出する。
【００３３】
色温度決定部４２８は、算出部４２６によって算出された総和に基づいて、撮影された画像の色温度を決定する。色温度決定部４２８は、さらに記憶部４２０に格納されている設定データに基づいて表示部４１２に表示される映像の色温度を決定する。この色温度の決定は、たとえば各色の要素の総和と色温度との対応関係をマップデータとして記憶部４２０に格納しておき、そのマップデータを参照することにより行なわれる。色温度決定部４２８は、好ましくは、算出部４２６によって算出された色の要素の総和が予め設定された上限値を下回る場合に、色温度を決定する。このようにすると、当該総和が上限値を超える場合には、色の調整が行なわれなくなるため、たとえば、色温度の調整処理が収束しなくなることを防止できる。
【００３４】
調整部４３０は、記憶部４２０に格納されている設定データに基づいて表示部４１２に表示される映像の各色の要素の値をそれぞれ調整する。なお、テレビ２００が受信する放送信号には、画像調整処理を禁止するための信号が含まれることもあり得る。たとえば、著作物を保護する観点から、受信装置としてのテレビ２００においてカラー映像の表示色の変更を禁止するための管理データが、映像音声信号そのもの（いわゆるコンテンツに相当するもの）に付加されて送信される場合もある。このような場合、テレビ２００が放送信号の受信後に管理データを検出すると、調整部４３０は、その検出に応答して映像の表示色の変更を行なわない。これにより、放送された信号に基づく映像がそのまま再現されることになる。
【００３５】
制御部４３２は、調整部４３０によって調整された各色の要素の値に基づいて表示部４１２の表示領域における映像の表示を制御する。具体的には、制御部４３２は、調整後の各色の要素の値を表示部４１２に出力する。表示部４１２は、その値に応じて映像信号の出力態様を変更する。
【００３６】
図５を参照して、本実施の形態に係るテレビの具体的構成について説明する。図５は、テレビ２００のハードウェア構成を表わすブロック図である。
【００３７】
テレビ２００は、主たる構成要素として、アンテナ５０２と、外部入力部５０４と、受光部５０６と、操作部５０８と、ＣＰＵ（Central Processing Unit）５１０と、チューナ５１４と、切換回路５１６とを備える。ＣＰＵ５１０は、メモリ５１２を含む。アンテナ５０２により受信された放送信号は、チューナ５１４に伝送される。チューナ５１４は、ＣＰＵ５１０から出力される制御信号に基づいて選局が指示されたチャンネルを選択する。
【００３８】
外部入力部５０４は、外部から映像音声信号の入力を受け付ける。たとえば、外部入力部５０４は、ＶＴＲ（Video Tape Recorder）、ＤＶＤ（Digital Versatile Disc）プレーヤーその他の映像再生装置から送出された映像音声信号の入力を受け付ける。映像音声信号は、外部入力部５０４から切換回路５１６に伝送される。外部入力部５０４は、映像信号と音声信号とを別々に入力を受け付けるものであってもよいし、各々の信号を伝送するケーブルを１つにまとめたものであってもよい。切換回路５１６は、ＣＰＵ５１０から出力される切換指令に基づいてチューナ５１４から出力される信号と外部入力部５０４から出力される信号とのいずれかを選択的に出力する。
【００３９】
テレビ２００は、さらにカメラ５５０と、メモリ５５２と、解析装置５６０と、通信ＩＦ（Interface）５７０とを備える。カメラ５５０は、たとえばＣＣＤ（Charge Coupled Device）固体撮像素子を含む。
【００４０】
メモリ５５２は、たとえばフラッシュメモリである。カメラ５５０は、ＣＰＵ５１０から出力される撮影指令に基づいて被写体（視聴者）を撮影し、その被写体の画像データをメモリ５５２に対して伝送する。メモリ５５２は、ＣＰＵ５１０から出力される書込指令に基づいてその指令によって特定された領域に画像データを格納する。解析装置５６０は、ＣＰＵ５１０からの指令に基づいて、カメラ５５０の撮影により取得された画像データを解析する。解析処理については後述する。
【００４１】
通信ＩＦ５７０は、たとえば、ネットワーク（図示しない）に接続され、他の情報通信装置と通信するためのインターフェイスである。なお、テレビ２００は、通信ＩＦを必ずしも有している必要はない。通信ＩＦ５７０を介して通信される信号には、制御信号、映像音声信号が含まれる。
【００４２】
図５を再び参照して、テレビ２００は、信号処理回路５２０と、ドライバ５２８と、ディスプレイ５３０と、アンプ５３６ａ，５３６ｂと、スピーカ５４０ａ，５４０ｂとを備える。信号処理回路５２０は、分離回路５２２と、ＯＳＤ（On Screen Display）回路５２４とを含む。
【００４３】
切換回路５１６から出力された信号は、分離回路５２２に入力される。分離回路５２２は、ＣＰＵ５１０からの指令に基づいて映像信号と音声信号とを分離するための処理を実行する。分離回路５２２から出力される映像信号は、ＯＳＤ回路５２４に入力される。分離回路５２２から出力される音声信号は、アンプ５３６ａ，５３６ｂにそれぞれ伝送される。
【００４４】
ＯＳＤ回路５２４は、ＣＰＵ５１０からの指令に基づいてディスプレイ５３０に画像を表示するための信号を生成する。当該画像は、たとえばチャンネル番号その他の文字情報を含む。また、文字情報には音量レベルを表わす表示、テレビ２００の動作を表わす表示も含まれる。動作を表わす表示は、音量のアップまたはダウン、コントラストの変更などを含む。より具体的には、ＯＳＤ回路５２４は、分離回路５２２から出力される映像信号とメモリ５１２に予め格納されているデータに基づいて生成される画像信号とを合成し、当該合成により生成された信号をドライバ５２８に対して出力する。
【００４５】
ドライバ５２８は、ＯＳＤ回路５２４から出力される信号に基づいてディスプレイ５３０における映像の表示処理を実行する。アンプ５３６ａ，５３６ｂは、分離回路５２２から出力される各々の音声信号を増幅してスピーカ５４０ａ，５４０ｂにそれぞれ伝送する。スピーカ５４０ａ，５４０ｂは、その信号に基づいて音声を出力する。
【００４６】
図６を参照して、テレビ２００のデータ構造について説明する。図６は、メモリ５５２におけるデータの格納の一態様を概念的に表わす図である。メモリ５５２は、データを格納するための領域６１０〜６６０と、予め準備されたプログラムを格納するための領域６７０〜６９０を含む。
【００４７】
視聴者を識別するための情報（視聴者ＩＤ）は、領域６１０に格納されている。視聴者を撮影することにより取得された顔画像のデータファイルは、領域６２０に格納されている。視聴者の属性情報（たとえば年齢）は、領域６３０に格納されている。視聴者の顔画像の第１の特徴量（目の間隔）は、領域６４０に格納されている。同様に第２の特徴量（目と口との間隔）は、領域６５０に格納されている。視聴者ごとに入力された表示される映像の色温度を特定するためのデータは、領域６６０に格納されている。領域６１０から６６０に格納されているデータは、それぞれ相互に関連付けられている。したがって、領域６１０に格納されている視聴者ＩＤを特定することにより対応付けられている他のデータ項目も導出される。
【００４８】
図７を参照して、本実施の形態に係る画像抽出処理について説明する。図７は、ＣＰＵ５１０によるデータ処理の一態様を概念的に表わす図である。
【００４９】
ＣＰＵ５１０は、カメラ５５０からの映像信号の入力を受け付けて当該信号を格納するバッファ領域７１０と、バッファ領域７１０に対してディスプレイ５３０における表示領域と対応して定められている全体の領域に応じたデータを読み出す全体領域読出部７４０と、ディスプレイ５３０において表示領域の一部の領域として定められている部分領域に応じた領域としてバッファ領域７１０に定められている部分領域７２０に格納されているデータを読み出す部分領域読出部７３０とを含む。
【００５０】
全体領域読出部７４０は、バッファ領域７１０に格納されている信号を予め定められた処理速度に従って読み出す。ディスプレイ５３０がこの信号に基づいて画像を表示するとき、カメラ５５０により撮影された被写体の画像全体が、ディスプレイ５３０における表示領域全体に表示される。
【００５１】
部分領域読出部７３０は、部分領域７２０に格納されている信号を読み出す。この場合、読み出しの速度は、バッファ領域７１０の全体の領域から読み出す速度よりも高速になる。すなわち、部分領域読出部７３０による読出処理の対象となる領域が、全体領域読出部７４０による読出処理の対象となる領域よりも小さいため、部分領域７２０に格納されている信号は、全体の領域に対応する信号よりも高速に読み出される。
【００５２】
このようにすると、ＣＰＵ５１０は、カメラ５５０により撮影される映像に基づいて通常の画像処理よりも高速に信号の読出処理を実行することができる。その結果、被写体が静止している場合であっても、被写体により発信される信号たとえば赤外線光は、カメラ５５０において予め定められた部分領域にて撮影されることにより、その信号に基づく情報の取得が可能になる。
【００５３】
カメラ５５０からの出力は左上から右下へ一画素ずつ読み出される事を利用し、処理の対象となる領域を特定するための領域判定部を設ける事で、部分領域のデータのみを抽出し、各色の要素を順次加算することで、各要素の総和を算出することもできる。この場合、画像用のバッファメモリが不要なため、回路を簡素化することができる。
【００５４】
携帯電話などで使われるカメラモジュールには、Auto  White  Balance（自動ホワイトバランス調整）回路が内蔵されている場合が多く、この回路における中間処理過程のデータ、つまり、各色要素の総和を外部から読み出すことで、総和を得ることもできる。
【００５５】
図８を参照して、色温度について説明する。図８は、テレビ２００が設置されている場所における色温度、より具体的には、視聴時における当該視聴者の近傍の色温度と、設定値として予め入力された色温度との関係を表わす図である。
【００５６】
たとえば、視聴者の撮影によって算出された当該視聴者の近傍の色温度が８５００Ｋと９５００Ｋとの間である場合、テレビ２００に表示される映像の色温度として９３００Ｋが設定されている。
【００５７】
なお、８５００Ｋあるいは９５００Ｋのように、算出された色温度の値が二つの設定値にまたがる場合には、算出された色温度の変化によって設定値が急激に変化することを防止するために、ヒステリシスを設けてもよい。具体的には、たとえば、算出された色温度が８５００Ｋよりも数百Ｋ下がった場合に、適用される設定値が９３００Ｋから８５００Ｋに変更されるようにしてもよい（ヒステリシス８１０）。逆に、算出された色温度が８５００Ｋよりも数百Ｋだけ大きくなった場合、適用される設定値が８５００Ｋから９３００Ｋに変更されるようにしてもよい（ヒステリシス８２０）。
【００５８】
図８に示されるような関係は、たとえば、設定値の入力を受け付ける画面をテレビ２００に表示させ、設定値の入力を希望する視聴者からの当該入力をメモリに保存させることにより実現される。この場合、色温度の数値を設定値として直接入力させてもよい。あるいは、設定値に対応するサンプルの色映像をテレビ２００に表示させて、設定値の増減に応じて当該色映像が表示されるようにして、視聴者に設定値に応じた色を確認させることによっても、実現できる。
【００５９】
また、設定値の入力に代えて、色の変化を定める複数の関数を予め準備しておき、各関数ごとに表示色の特徴を表わす名称を付しておき（たとえば、シャープな映像、落ち着いた映像等）、視聴者に当該名称を選択させて、選択された名称に対応する関数と当該視聴者とを関連付けて、メモリ５５２に保存させておいてもよい。
【００６０】
ここで、図９を参照して、本実施の形態における顔画像データの抽出処理について説明する。図９は、メモリ５５２に格納された顔画像を概念的に表わす図である。
【００６１】
被写体がテレビ２００のディスプレイ５３０の正面に位置した状態で撮影処理が正常に実行されると、撮影処理によって生成されたデータは、メモリ５５２に格納される。被写体の顔は、肌色の部分とそうでない部分とを含む。たとえば頭髪、眉あるいは瞳は、たとえば黒色、茶色等であって、皮膚の色（たとえば肌色）とは異なる。そこで、このような被写体の画像に対してたとえば画像データの二値化処理あるいは濃淡処理を実行すると、濃淡の程度が異なる画像が生成される。
【００６２】
すなわち図９に示されるように、眉９０２ａ，９０２ｂと、瞳９０４ａ，９０４ｂと、鼻９０６と、口９０８とがそれぞれ抽出される。メモリ５５２における領域が予め特定されている場合、たとえば目の間隔９１２と、目の長さ９１０，９１４と、口元の幅９１６と、目尻と口の中心部との間隔９１８とが、相対的な距離として、それぞれ算出される。距離は、たとえば画素の数により表わされる。間隔９１２の値と間隔９１８の値とは、それぞれ左右方向の情報、上下方向の情報としてメモリ５５２において確保された領域に格納される。これにより、カメラ５５０の撮影により生成された画像に対する被写体がどの位置にいるかを容易に特定することができる。
【００６３】
図１０を参照して、本実施の形態に係るテレビ２００が使用された場合における「標準位置」について説明する。図１０は、テレビ２００が設置された部屋を上部から表わした図である。視聴者１００１は、部屋１０においてテレビ２００を視聴している。視聴者１００１は、テレビ２００に対して「標準位置」に位置している。ここで、標準位置とは、テレビ２００に対して予め定められた位置をいう。この位置は、たとえばテレビ２００からの距離と、テレビの中心を通る軸からの距離とによって特定される。
【００６４】
図１０に示される例では、標準位置は、点線１０２０と点線１０３０との交点となる。点線１０３０は、テレビ２００の基準の位置に対応する点線１０１０から予め定められた距離だけ離れた位置に相当する。当該距離は、たとえば、テレビ２００の表示領域の大きさ（いわゆるインチサイズ）の整数倍として規定されてもよい。あるいは、当該距離は、表示領域のｎ倍〜ｎ＋１倍のように、距離の幅が存在するものであってもよい。点線１０２０は、テレビ２００の中心線、たとえばディスプレイ５３０に垂直に交差するような線に対応する。
【００６５】
このような状態で、視聴者１００１は、テレビ２００に対する初期登録を行なう。すなわち、視聴者１００１はカメラ５５０による撮影を受け、解析装置５６０が視聴者１００１の顔画像を認識し、特徴量を算出する。その結果、視聴者１００１が正常に認識されると、特徴量がテレビ２００に登録される。視聴者１００１は、テレビ２００を視聴する都度、カメラ５５０に撮影される。したがって、新たに算出された特徴量と既に保存された特徴量との比較が可能になる。
【００６６】
視聴者１００１が標準位置よりもテレビ２００に近い位置にて視聴する場合も考えられる。たとえば、視聴者１００１が、点線１０３１における位置１００２において視聴する場合がある。あるいは逆に、視聴者１００１は、テレビ２００から離れた点線１０３２に対応する位置１００３において視聴する場合も考えられる。このような場合、視聴者１００１とカメラ５５０までの距離が短くなったり、あるいは長くなったりする。本実施の形態においては、特徴量の比が視聴者の認識に使用される。たとえば、視聴者の目の間隔と、目と口の間隔との比が認識に使用される。この場合、同一の視聴者であればカメラ５５０からの距離が異なっても、当該比は同一の値になるため、視聴者１００１が別の視聴者として誤って認識されることはない。したがって、その後のテレビ２００の動作も、視聴者１００１に応じた制御が実現される。
【００６７】
さらに、視聴者がテレビ２００に対して中心軸１０２０からずれた位置において視聴する場合も考えられる。たとえば複数の視聴者がテレビ２００の映像を視聴する場合である。具体的には、他の視聴者が点線１０２１，１０２２の位置において視聴する場合があり得る。このような場合も、当該特徴量の比の値は、予め登録された特徴量の比の値に対して大きくずれないため、ずれの量を誤差として予め設定しておくことにより、同一の視聴者を正確に認証することができる。
【００６８】
なお、標準位置と異なる位置は、図１０に示されるものに限られない。部屋１０の中でテレビ２００の映像を視聴可能な位置は、当該標準位置と異なる位置になり得る。
【００６９】
図１１および図１２を参照して、テレビ２００の制御構造について説明する。図１１は、視聴者を最初に認証するためにＣＰＵ５１０が実行する処理の手順を表わすフローチャートである。
【００７０】
ステップＳ１１１０にて、ＣＰＵ５１０は、受光部５０６を介して入力されるリモコン端末（図示しない）によって送信された信号の受信に基づいて、テレビ２００の動作モードをカメラ５５０による撮影モードに切り替えるための指示を検知する。ステップＳ８２０にて、ＣＰＵ５１０は、受光部５０６によって受信されるリモコン端末からの撮影指示信号に基づいて、カメラ５５０の撮影ボタン（図示しない）の押下の指令を検知する。ＣＰＵ５１０は、カメラ５５０に対して予め設定された撮影モードにて被写体を撮影するように指令を出力する。撮影モードには、絞り、シャッタースピードなどが含まれる。カメラ５５０は、そのような指令に応答して、被写体の撮影処理を実行する。その撮影処理の後、カメラ５５０は、画像データを出力する。出力されたデータは、メモリ５５２において確保された領域に格納される。
【００７１】
ステップＳ１１３０にて、ＣＰＵ５１０は、カメラ５５０からメモリ５５２に伝送されたデータをメモリ５５２において予め確保した領域に格納する。ステップＳ１１４０にて、ＣＰＵ５１０は、メモリ５５２に格納されているデータを用いて予め規定された解析処理を実行するように、解析装置５６０に指令する。この指令は、たとえば、当該処理を表わすコマンドがＣＰＵ５１０から解析装置５６０に送出されることによって実現される。
【００７２】
ステップＳ１１５０にて、解析装置５６０は、その指令に基づいてメモリ５５２から画像データを読み出し、解析装置５６０が備えるＲＡＭ（Random Access Memory）（図示しない）のワーク領域に格納する。ステップＳ１１６０にて、解析装置５６０は、そのデータから視聴者の顔に相当する顔画像を抽出する。この抽出のための処理は、たとえば公知の画像処理を用いて実現される。
【００７３】
ステップＳ１１７０にて、解析装置５６０は、その画像領域に対して特徴量を算出するための処理を実行する。算出される特徴量は、ＣＰＵ５１０によって予め指定された項目に対応するものである。ステップＳ１１８０にて、解析装置５６０は、算出した特徴量をメモリ５５２において予め確保された領域に格納する。その結果、テレビ２００に対して標準の位置に座っている視聴者の認証処理が完了し、その視聴者を特定するためのデータは、メモリ５５２に格納されることになる（図６における領域６２０、領域６４０，６５０）。さらに、当該視聴者がその視聴者を識別するための視聴者ＩＤを入力すると、そのデータもメモリ５５２に格納される（領域６１０）。視聴者が属性情報を入力した場合には、その属性情報もメモリ５５２に格納される（領域６３０）。また、ディスプレイ５３０に表示される映像を調整するための設定を視聴者が行なった場合には、その設定に応じて算出される色温度もメモリ５５２に格納される（領域６６０）。これにより、視聴者の映像に対する好みがテレビ２００に反映される。
【００７４】
図１２を参照して、テレビ２００の制御構造についてさらに説明する。図１２は、視聴者に応じた映像の表示を実現するためにＣＰＵ５１０が実行する処理の手順を表わすフローチャートである。
【００７５】
ステップＳ１２１０にて、ＣＰＵ５１０は、ディスプレイ５３０においてカラー映像の表示が行なわれていることを検知する。ステップＳ１２２０にて、ＣＰＵ５１０は、カメラ５５０に対して撮影指令を送信する。カメラ５５０は、その指令に応答して予め設定された撮影モードに基づき予め定められた撮影範囲に存在する被写体を撮影する。撮影により生成されたデータは、メモリ５５２に格納される。カメラ５５０の撮影が完了すると、カメラ５５０は、その旨を通知するための信号をＣＰＵ５１０に送信する。
【００７６】
ステップＳ１２３０にて、ＣＰＵ５１０は、撮影の完了を表わす指令の受信に応答して取得された画像データを解析するための指令を解析装置５６０に対して送信する。解析装置５６０は、その指令に基づいてメモリ５５２に格納されているデータを用いて前述の予め規定されている画像解析処理を実行する。解析処理の結果は、メモリ５５２において確保された領域に格納される。
【００７７】
ステップＳ１２４０にて、ＣＰＵ５１０は、その解析結果とメモリ５５２に予め格納されている特徴量（視聴者の登録時に取得された特徴量）とに基づいて今回取得された視聴者が予め登録された視聴者であるか否かを確認する。ステップＳ１２５０にて、ＣＰＵ５１０は、ステップＳ１２４０における確認処理の結果に基づいてその視聴者が登録済みであるか否かを確認する。ＣＰＵ５１０が、その視聴者は登録済みであると判断すると（ステップＳ１２５０にてＹＥＳ）、処理はステップＳ１２６０に移される。そうでない場合には（ステップＳ１２５０にてＮＯ）、処理は終了する。この場合、テレビ２００は予め規定された設定値に基づいてカラー映像の表示を続ける。
【００７８】
ステップＳ１２６０にて、ＣＰＵ５１０は、メモリ５５２から予め登録されている設定値（色温度）を読み出す。ステップＳ１２７０にて、ＣＰＵ５１０は、読み出した設定値に基づいて色を変更する指令を信号処理回路５２０に送出する。信号処理回路５２０は、その指令に基づいてカラー映像信号の表示色を変更する。変更後の信号は信号処理回路５２０から出力されると、ディスプレイ５３０は、その信号に基づいてカラー映像を表示する。このようにして表示されるカラー映像は、視聴者による設定が反映された映像となる。
【００７９】
以上のようにして、本実施の形態に係るテレビ２００は、視聴者を特定するためのデータとして特徴量を予め記憶している。当該特徴量には、当該視聴者の好みを表わす設定値として、映像の表示態様（表示色の濃淡など）が関連付けられている。テレビ２００は、カメラを有している。テレビ２００は、カラー映像の表示時に当該映像の視聴者を撮影し、視聴者の画像を取得し、その視聴者の特徴量を算出する。カラー映像を視聴している視聴者がテレビ２００に予め登録された視聴者である場合にその視聴者についての設定値が存在する場合には、テレビ２００は、その設定値に基づいてカラー映像を調整して表示する。これにより、視聴者に応じたカラー映像の表示が実現される。
【００８０】
なお、上記の実施の形態においては、テレビ２００はカメラ５５０を内蔵するものとして説明したが、テレビ２００に外部に接続可能なカメラであってもよい。また、カメラ５５０によって撮影された画像を解析する解析装置５６０は、テレビ２００の外部に接続されるものであってもよい。この場合、視聴者を認識する処理と、認識の結果を出力する処理は、テレビの外部に接続される解析装置によって行なわれる。当該テレビは、認識の結果に基づいて、カラー映像の表示を視聴者に合わせて調整を行ない、あるいは、行なわない。このようにすると、既存のカラーテレビも、視聴者に応じた色の表示処理を実現することができる。
【００８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８２】
【図１】本発明の実施の形態に係るカラー映像表示装置の構成を表わす図である。
【図２】部屋１０にテレビ２００が設置されている状況を表わす図である。
【図３】テレビ２００を正面から表わす図である。
【図４】テレビ２００を実現する機能の構成を表わすブロック図である。
【図５】テレビ２００のハードウェア構成を表わすブロック図である。
【図６】テレビ２００のメモリ５５２におけるデータの格納の一態様を概念的に表わす図である。
【図７】ＣＰＵ５１０によるデータ処理の一態様を概念的に表わす図である。
【図８】テレビ２００が設置されている場所における色温度と、設定値として予め入力された色温度との関係を表わす図である。
【図９】メモリ５５２に格納された顔画像を概念的に表わす図である。
【図１０】テレビ２００が設置された部屋を上部から表わした図である。
【図１１】視聴者を最初に認証するためにＣＰＵ５１０が実行する処理の手順を表わすフローチャートである。
【図１２】視聴者に応じた映像の表示を実現するためにＣＰＵ５１０が実行する処理の手順を表わすフローチャートである。
【符号の説明】
【００８３】
１０  部屋、１１  椅子、１２，１００１  視聴者、１４  リモコン端末、１３０  合成回路、２００  テレビ、５０２  アンテナ、５２８  ドライバ、５３６ａ，５３６ｂ  アンプ、９０２ａ，９０２ｂ  眉、９０４ａ，９０４ｂ  瞳、９０６  鼻、９０８  口。
【図１】
2007174229.tif 000003
【図２】
2007174229.tif 000004
【図３】
2007174229.tif 000005
【図４】
2007174229.tif 000006
【図５】
2007174229.tif 000007
【図６】
2007174229.tif 000008
【図７】
2007174229.tif 000009
【図８】
2007174229.tif 000010
【図９】
2007174229.tif 000011
【図１０】
2007174229.tif 000012
【図１１】
2007174229.tif 000013
【図１２】
2007174229.tif 000014